(57)【要約】【課題】入射光の入射角に応じて出射光の光量を調整できる異方性光吸収フィルム及びスクリーンを提供すること。【解決手段】第１層Ｓ５と、第１層Ｓ５より屈折率が低い第２層Ｓ６とを有する光制御層Ｓ４を備え、第１層Ｓ５及び第２層Ｓ６は、所定方向に沿って交互で、互いに平行に配置され、光制御層Ｓ４は、光制御層Ｓ４に対する光の入射角が、上記所定方向に沿う光制御層の断面視で当該光制御層Ｓ４に予め設定される範囲内である場合には、当該光を第１層Ｓ５と第２層Ｓ６との境界面Ｓ７にて反射させつつ、当該第１層Ｓ５内を光制御層Ｓ４の奥行方向に進行させ、当該光制御層Ｓ４に対する光の入射角が上記範囲外である場合には、当該光を上記奥行方向に直進させ、第１層Ｓ５には、光を吸収する光吸収成分が含まれる。【選択図】図２
2014174233.tif 000002
【特許請求の範囲】
【請求項１】
第１層と、
前記第１層より屈折率が低い第２層とを有する光制御層を備え、
前記第１層及び前記第２層は、所定方向に沿って交互で、互いに平行に配置され、
前記光制御層は、
前記光制御層に対する光の入射角が、前記所定方向に沿う前記光制御層の断面視で当該光制御層に予め設定される範囲内である場合には、当該光を前記第１層と前記第２層との境界面にて反射させつつ、当該第１層内を前記光制御層の奥行方向に進行させ、
前記光制御層に対する光の入射角が前記範囲外である場合には、当該光を前記奥行方向に直進させ、
前記第１層には、光を吸収する光吸収成分が含まれる
ことを特徴とする異方性光吸収フィルム。
【請求項２】
請求項１に記載の異方性光吸収フィルムにおいて
前記光吸収成分は、可視光領域のうち所定波長の光を吸収する
ことを特徴とする異方性光吸収フィルム。
【請求項３】
請求項２に記載の異方性光吸収フィルムにおいて、
前記光吸収成分は、赤、緑及び青に区分される色光以外の光を吸収する
ことを特徴とする異方性光吸収フィルム。
【請求項４】
請求項１から請求項３のいずれかに記載の異方性光吸収フィルムにおいて、
前記光制御層は、当該異方性光吸収フィルムの法線に対する前記第１層及び前記第２層の角度を違えて複数設けられている
ことを特徴とする異方性光吸収フィルム。
【請求項５】
投射される画像を表示するスクリーンであって、
請求項１から請求項４のいずれかに記載の異方性光吸収フィルムを有し、
前記第１層及び前記第２層は、それぞれ、前記画像を形成する光とは異なる光の前記光制御層に対する入射方向に応じて形成されている
ことを特徴とするスクリーン。
【請求項６】
請求項５に記載のスクリーンにおいて、
前記光制御層に対向し、かつ、前記光制御層に対して前記画像の入射位置とは反対側に位置する反射層を有する
ことを特徴とするスクリーン。
【請求項７】
請求項５又は請求項６に記載のスクリーンにおいて、
前記光制御層に対して前記画像の出射側に位置し、透過される光を拡散させる拡散層を有する
ことを特徴とするスクリーン。
【請求項８】
請求項５から請求項７のいずれかに記載のスクリーンにおいて、
当該スクリーンにおける前記画像の出射面に位置し、入射される光の反射を抑制する反射抑制層を有する
ことを特徴とするスクリーン。
【発明の詳細な説明】
【技術分野】
【０００１】
本発明は、異方性光吸収フィルム及びスクリーンに関する。
【背景技術】
【０００２】
従来、所定範囲内の入射角で入射された光を拡散させ、当該範囲外の入射角で入射された光を拡散させることなく透過させる異方性光拡散フィルムが知られている（例えば、特許文献１参照）。
この特許文献１に記載の異方性光拡散フィルムは、屈折率が高いライン状の板状領域と、屈折率が低いライン状の板状領域とが、交互に平行配置されたルーバー構造を有する。
【０００３】
このような異方性光拡散フィルムに対して、光拡散入射角度領域内の入射角（フィルムの法線と入射光との角度）で光が入射される場合、当該光は、フィルムの入光面とは反対側の出光面から拡散して出射される。具体的に、当該光は、直接又は低屈折率の板状領域を介して高屈折率の板状領域内に入射されると、高屈折率の板状領域と低屈折率の板状領域との境界面で全反射され、進行方向を変化させながら当該高屈折率の板状領域内を膜厚方向に沿って通り抜ける。このため、出光面での光の進行方向が一様でなくなり、当該光は、出光面にて拡散される。
一方、光拡散入射角度領域から外れた入射角で光が入射される場合、当該光は、高屈折率の板状領域及び低屈折率の板状領域を膜厚方向に沿って直線的に通り抜ける。このため、当該光は、拡散されることなく出光面から出射される。
【先行技術文献】
【特許文献】
【０００４】
【特許文献１】特開２０１２−１４１５９２号公報
【発明の概要】
【発明が解決しようとする課題】
【０００５】
ところで、特許文献１に記載の異方性光拡散フィルムでは、当該フィルムへの光の入射角に応じて、出光面から出射される光が拡散されるか、或いは、拡散されずに出射される。換言すると、入射面に入射された光の光量と、異方性光拡散フィルムを透過して出射面から出射される光の光量とは、ほぼ同じである。これに対し、当該異方性光拡散フィルムの用途を拡大でき、出射される光の光量を当該光の入射角に応じて調整可能なフィルムが要望されてきた。
【０００６】
本発明は、入射光の入射角に応じて出射光の光量を調整できる異方性光吸収フィルム及びスクリーンを提供することを目的の１つとする。
【課題を解決するための手段】
【０００７】
本発明の第１態様に係る異方性光吸収フィルムは、第１層と、前記第１層より屈折率が低い第２層とを有する光制御層を備え、前記第１層及び前記第２層は、所定方向に沿って交互で、互いに平行に配置され、前記光制御層は、前記光制御層に対する光の入射角が、前記所定方向に沿う前記光制御層の断面視で当該光制御層に予め設定される範囲内である場合には、当該光を前記第１層と前記第２層との境界面にて反射させつつ、当該第１層内を前記光制御層の奥行方向に進行させ、前記光制御層に対する光の入射角が前記範囲外である場合には、当該光を前記奥行方向に直進させ、前記第１層には、光を吸収する光吸収成分が含まれることを特徴とする。
【０００８】
なお、上記範囲は、第１層の屈折率と第２層の屈折率との差により予め設定され、当該範囲の中心は、第１層及び第２層の境界面に沿う方向に応じて設定される。
ここで、上記範囲内の入射角で光制御層に入射される光のうち、直接、或いは、第２層を介して第１層に入射された光は、当該第１層内を光制御層の奥行方向に進行する。この際、第１層内を進行する光が、当該第１層と、当該第１層に隣接する第２層との境界面に入射される場合には、当該境界面にて反射されつつ、第１層内を奥行方向に進行する。このように、上記範囲内の入射角で光制御層に入射される光では、第１層内を透過する光路が平均して長い。
一方、上記範囲外の入射角で光制御層に入射される光は、上記境界面にて反射されることなく当該光制御層を奥行方向に直進するので、当該光では、第１層内を透過する光路が平均して短い。
そして、当該第１層には、光を吸収する光吸収成分が含まれていることにより、第１層を透過する際の光路が長ければ長いほど、当該第１層を透過する光の光量は減じられる。
【０００９】
このことから、上記範囲内の入射角で光制御層に入射される光は、光吸収成分により減じられやすく、上記範囲外の入射角で光制御層に入射される光は、光吸収成分により減じられにくい。
従って、上記第１態様によれば、光制御層に対する入射角に応じて、当該光制御層を透過する光、すなわち、当該光制御層から出射される光の光量を調整できる。
【００１０】
上記第１態様では、前記光吸収成分は、可視光領域のうち所定波長の光を吸収することが好ましい。
上記第１態様によれば、光吸収成分が可視光領域のうち所定波長の光を吸収することで、異方性光吸収フィルムをフィルターとして用いることができる。従って、異方性光吸収フィルムの利便性を向上できる。
【００１１】
上記第１態様では、前記光吸収成分は、赤、緑及び青に区分される色光以外の光を吸収することが好ましい。
上記第１態様によれば、当該異方性光吸収フィルムを、プロジェクターから画像が投射されるスクリーンに採用した場合に、当該プロジェクターからの投射光とは異なる光を光吸収成分により主に吸収させることができる。従って、当該スクリーンに表示される画像のコントラストを向上できる。
【００１２】
上記第１態様では、前記光制御層は、当該異方性光吸収フィルムの法線に対する前記第１層及び前記第２層の角度を違えて複数設けられていることが好ましい。
ここで、上記範囲の中心は、第１層及び第２層の境界面に沿う方向に応じて設定されるので、当該第１層及び第２層の境界面に沿う方向が複数の光制御層で異なれば（換言すると、各光制御層の法線に対する第１層及び第２層の角度が異なれば）、上記範囲を拡大できる。このため、上記第１態様によれば、異方性光吸収フィルムの法線に対する第１層及び第２層の角度、すなわち、境界面に沿う方向の角度が異なる光制御層を複数設けることで、上記範囲を拡大できる。従って、異方性光吸収フィルムの利便性を向上できる。
【００１３】
本発明の第２態様に係るスクリーンは、投射される画像を表示するスクリーンであって、前述の異方性光吸収フィルムを有し、前記第１層及び前記第２層は、それぞれ、前記画像を形成する光とは異なる光の前記光制御層に対する入射方向に応じて形成されていることを特徴とする。
上記第２態様によれば、第１層及び第２層は、画像を形成する光とは異なる光（以下、外光という）の光制御層に対する入射方向に応じて形成されている。これによれば、当該外光を上記範囲内の入射角で光制御層に入射させやすくすることができ、第１層の光吸収成分により吸収させやすくすることができる。従って、画像を劣化させる外光の影響を低減でき、スクリーンに表示される画像のコントラストを向上できる。
【００１４】
上記第２態様では、前記光制御層に対向し、かつ、前記光制御層に対して前記画像の入射位置とは反対側に位置する反射層を有することが好ましい。
上記第２態様によれば、光制御層を透過した光を反射層により反射させることができる。これによれば、前記範囲外の入射角となるように、光制御層において反射層とは反対側の面に画像を投射することで、当該画像を表示する反射型のスクリーンを構成できる。また、第１層内を通過した外光のうち、反射層により上記範囲内の角度で反射された一部の光は、再度第１層内を進行することとなるので、スクリーンの外部に出射される外光の光量を一層低減できる。従って、表示される画像のコントラストを更に向上できる。
【００１５】
上記第２態様では、前記光制御層に対して前記画像の出射側に位置し、透過される光を拡散させる拡散層を有することが好ましい。
上記第２態様によれば、スクリーンを透過して出射される光、或いは、当該スクリーンにて反射されて出射される光を、拡散層により拡散させることができる。従って、外光の影響が低減され、コントラストが向上された画像の視野角を広げることができる。
【００１６】
上記第２態様では、当該スクリーンにおける前記画像の出射面に位置し、入射される光の反射を抑制する反射抑制層を有することが好ましい。
上記第２態様によれば、スクリーンにおける画像の出射面に位置する反射抑制層により、外光が当該出射面にて反射されることを抑制できる。また、当該反射抑制層により、外光及び画像を形成する光を光制御層に入射させやすくすることができ、当該光制御層により、外光を吸収しやすくすることができる。従って、表示される画像のコントラストを更に向上できる。
【図面の簡単な説明】
【００１７】
【図１】本発明の一実施形態に係るスクリーンを示す模式図。
【図２】前記実施形態における光制御層の断面を拡大して示す模式図。
【図３】前記実施形態における光制御層の断面を拡大して示す模式図。
【図４】第１実施例における対象スクリーンの設置状態を示す模式図。
【図５】第２実施例における光吸収色素の光吸収特性と、プロジェクターに用いられる光源の出力波長特性と、照明の出力波長特性とを示すグラフ。
【図６】前記実施形態における光の入射角とスクリーンの反射分光特性とを示すグラフ。
【図７】前記実施形態におけるスクリーンの変形であるスクリーンを示す模式図。
【発明を実施するための形態】
【００１８】
［スクリーンの構成］
以下、本発明の一実施形態を、図面に基づいて説明する。
図１は、本実施形態に係るスクリーンＳ１の構成を示す模式図である。
本実施形態に係るスクリーンＳ１は、当該スクリーンＳ１の正面側下方に配置されたプロジェクターＰＪ（図４参照）からの投射光を反射させて、当該投射光により形成される画像を表示する反射型スクリーンである。このスクリーンＳ１は、後述する吸収範囲内の入射角（後述する光制御層Ｓ４の法線ＮＬに対する角度）で入射される光（例えば外光）を主に吸収し、当該吸収範囲外の入射角で入射される光（例えば投射光）を主に反射させる機能を有する。
このようなスクリーンＳ１は、図１に示すように、保護層Ｓ２及び反射層Ｓ３と、これら保護層Ｓ２及び反射層Ｓ３との間に介在配置される光制御層Ｓ４とを有し、上記投射光の入射側から、保護層Ｓ２、光制御層Ｓ４、反射層Ｓ３の順に配置された構造を有する。
【００１９】
［保護層の構成］
保護層Ｓ２は、光制御層Ｓ４の表面（正面Ｓ４Ｆ）を保護する層であり、当該保護層Ｓ２の正面（光制御層Ｓ４とは反対側の面）は、スクリーンＳ１において光が入射される光入射面、及び、後述する反射層Ｓ３により反射された光が外部に出射される光出射面となる正面Ｓ１Ｆを構成する。
このような保護層Ｓ２は、入射される光の反射を抑制する反射抑制層Ｓ２１と、透過する光を拡散させる拡散層Ｓ２２とを有し、これらが積層された層構造を有する。これらのうち、反射抑制層Ｓ２１は、拡散層Ｓ２２に対して光入射側に位置する。
【００２０】
拡散層Ｓ２２は、光制御層Ｓ４の光入射側に位置する正面Ｓ４Ｆに拡散材（粒子又はフィラー等）を付着させた構成とすることができる。この他、当該正面Ｓ４Ｆに凹凸を形成することで拡散層Ｓ２２を形成してもよく、或いは、屈折散乱性フィルム等の光拡散能を有するフィルムを正面Ｓ４Ｆに貼付することで構成してもよい。
反射抑制層Ｓ２１は、拡散層Ｓ２２にＡＲ（Anti-Reflection）処理又はＡＧ（Anti-Glare）処理を施すことで形成できる。この他、ＡＲコートフィルム又はＡＧフィルムを拡散層Ｓ２２に貼付することで、反射抑制層Ｓ２１を構成することも可能である。
なお、これら反射抑制層Ｓ２１及び拡散層Ｓ２２を有する保護層Ｓ２は、必須の構成ではなく、スクリーンＳ１の用途に応じて省略可能である。
【００２１】
［反射層の構成］
反射層Ｓ３は、スクリーンＳ１における背面側に位置し、保護層Ｓ２及び光制御層Ｓ４を介して入射される光を、ランバート反射又は異方性反射等の反射様式により反射させる。この反射層Ｓ３は、光制御層Ｓ４において保護層Ｓ２とは反対側の面である背面Ｓ４Ｒに反射材料を蒸着又はスプレー噴射して構成してもよく、反射シートを当該背面Ｓ４Ｒに貼付して構成してもよい。
【００２２】
［光制御層の構成］
光制御層Ｓ４は、当該光制御層Ｓ４に対する光の入射角（光制御層Ｓ４の法線ＮＬに対する光の角度）によって当該光を直進透過又は拡散透過させる性質（異方性）を有する。具体的に、光制御層Ｓ４は、当該光制御層Ｓ４に予め設定される範囲（入射光を拡散透過させる範囲であり、後述する吸収範囲）内の入射角で入射されて後述する第１層Ｓ５に入射された光を、当該第１層Ｓ５内にて光制御層Ｓ４の奥行方向に沿って進行させ、当該範囲外の入射角で入射された光を、当該第１層Ｓ５及び第２層Ｓ６を貫通するように直進させる層である。本実施形態では、光制御層Ｓ４は、当該入射角に応じて、当該光制御層Ｓ４内を通過する際の進行方向が変更され、これにより光路長の差異が生じることによって、透過光量を調整する。このような光制御層Ｓ４は、異方性光吸収フィルムにより形成されている。すなわち、光制御層Ｓ４は、予め定まった吸収範囲内の入射角で入射される光を吸収しやすく、当該吸収範囲外の入射角で入射される光を吸収しにくい性質を有するフィルムにより形成されている。
【００２３】
なお、本実施形態においては、角度を「＋」で示す場合には、正面Ｓ４Ｆ側から背面Ｓ４Ｒ側に向う方向に向かうに従って鉛直方向上側から下側に向かって進行して他の直線（例えば、光制御層Ｓ４の法線）と交差する直線の角度を示す。また、角度を「−」で示す場合には、正面Ｓ４Ｆ側から背面Ｓ４Ｒ側に向う方向に向かうに従って鉛直方向下側から上側に向かって進行して他の直線と交差する直線の角度を示す。
【００２４】
図２及び図３は、光制御層Ｓ４の断面を拡大して示す模式図である。また、図２は、吸収範囲内の入射角で光制御層Ｓ４に入射される光の光路を示す模式図であり、図３は、吸収範囲外の入射角で光制御層Ｓ４に入射される光の光路を示す模式図である。なお、以下の説明では、光制御層Ｓ４に入射される光の光路を理解しやすくするために、当該光制御層Ｓ４の正面Ｓ４Ｆは保護層Ｓ２ではなく空気層と接しているものとして、当該光の軌跡を説明する。このため、図２及び図３においては、光制御層Ｓ４と空気層との界面にて屈折される光の光路を示している。また、第１層Ｓ５及び第２層Ｓ６の境界面Ｓ７を透過する際の光の屈折等は、図示を省略している。
このような光制御層Ｓ４は、図２及び図３に示すように、それぞれ光透過性を有する合成樹脂により形成され、かつ、当該光制御層Ｓ４の法線ＮＬ（スクリーンＳ１の法線と一致）に対する直交方向に沿って交互に形成された第１層Ｓ５及び第２層Ｓ６を有する。
【００２５】
具体的に、第１層Ｓ５及び第２層Ｓ６は、本実施形態では、鉛直方向に沿って配置されるスクリーンＳ１において当該鉛直方向に沿って等間隔に交互に配列されている。更に、第１層Ｓ５の厚さ寸法と、第２層Ｓ６の厚さ寸法とは同じである。
これら第１層Ｓ５及び第２層Ｓ６は、法線ＮＬに対してそれぞれ＋２５．３°傾斜して形成されている。詳述すると、第１層Ｓ５及び第２層Ｓ６の配列方向である鉛直方向に沿う光制御層４の断面視において、当該第１層Ｓ５及び第２層Ｓ６の境界面Ｓ７に沿う方向を示す仮想の直線ＶＬ１と法線ＮＬとの交差角（すなわち、第１層Ｓ５及び第２層Ｓ６の傾斜角）は＋２５．３°である。このため、第１層Ｓ５及び第２層Ｓ６における厚さ方向の両端のうち、正面Ｓ４Ｆ側の端部は、背面Ｓ４Ｒ側の端部に比べて上方に位置する。
【００２６】
このような第１層Ｓ５の屈折率は、第２層Ｓ６の屈折率より高い。すなわち、第１層Ｓ５は、第２層Ｓ６に比べて高屈折率層であり、第２層Ｓ６は、第１層Ｓ５に比べて低屈折率層である。そして、上記吸収範囲は、第１層Ｓ５の屈折率と、第２層Ｓ６の屈折率との差分によって定められる。このため、第１層Ｓ５及び第２層Ｓ６の屈折率、すなわち、当該第１層Ｓ５及び第２層Ｓ６を構成する材料によって、吸収範囲は変更可能である。
なお、本実施形態では、当該吸収範囲は、鉛直方向に沿う光制御層Ｓ４の断面視において、正面Ｓ４Ｆと交差する仮想の直線ＶＬ２（図２及び図３における一点鎖線で示す直線ＶＬ２）を中心として−１５°以上、＋１５°以下の範囲である。すなわち、当該吸収範囲は、３０°の範囲である。そして、本実施形態では、仮想の直線ＶＬ２は、光制御層Ｓ４の法線ＮＬに対して＋４０°傾斜しており、当該吸収範囲は、法線ＮＬに対して＋２５°以上、＋５５°以下の範囲である。なお、吸収範囲の中心線である上記仮想の直線ＶＬ２は、第１層Ｓ５及び第２層Ｓ６が交互に配列される方向（本実施形態では鉛直方向）に沿う断面視で、境界面Ｓ７に沿う方向（上記仮想の直線ＶＬ１により示される方向）に応じて設定される。
【００２７】
このような第１層Ｓ５には、可視光領域の光を均一に吸収する光吸収成分である光吸収色素が含まれている。このため、第１層Ｓ５を可視光領域の光が透過する際には、光吸収色素による光の吸収が行われ、透過光量が減少する。このような光吸収色素としては、カーボンブラックや、当該特性を有する顔料及び染料を例示できる。
一方、第２層Ｓ６には、上記光吸収色素が含まれていない。このため、第２層Ｓ６を光が透過する際には、当該光の吸収は行われず、光量の減少はほぼ生じない。
【００２８】
［光制御層に入射される光の光路］
ここで、光制御層Ｓ４に入射される光の光路を説明する。なお、図２及び図３においては、上記のように、光制御層Ｓ４の正面Ｓ４Ｆが空気層と接しているものとして、当該光制御層Ｓ４に入射される光の光路を示している。
光制御層Ｓ４の正面Ｓ４Ｆに入射される光のうち、上記吸収範囲内の入射角で入射され、当該入射角に応じて正面Ｓ４Ｆにて屈折された後に、第１層Ｓ５内に入射される光は、当該第１層Ｓ５内を光制御層Ｓ４の奥行方向（光制御層Ｓ４の正面Ｓ４Ｆから背面Ｓ４Ｒに向かう方向）に進行する。
【００２９】
例えば、図２に示すように、上記吸収範囲内の＋５５°の入射角で光制御層Ｓ４に入射される光Ｌ１１，Ｌ１２のうち、第１層Ｓ５に直接入射される光Ｌ１１は、正面Ｓ４Ｆにて屈折された後、当該第１層Ｓ５と、当該第１層Ｓ５を挟む第２層Ｓ６との境界面Ｓ７での全反射を繰り返しつつ、光制御層Ｓ４の奥行方向に進行する。そして、当該光Ｌ１１は、反射層Ｓ３にて反射される。この際、当該光Ｌ１１のうち、上記吸収範囲内の角度で反射された一部の光は、再度、入射された第１層Ｓ５内を奥行方向とは反対方向に進行する。
【００３０】
一方、第２層Ｓ６に直接入射される光Ｌ１２は、正面Ｓ４Ｆにて屈折された後、当該第２層Ｓ６を透過して、当該第２層Ｓ６に対して光Ｌ１２の進行方向に隣接する第１層Ｓ５に入射される。この第１層Ｓ５に入射された光Ｌ１２は、前述の光Ｌ１１と同様に、当該第１層Ｓ５内を光制御層Ｓ４の奥行方向に進行する。そして、当該光Ｌ１２のうち、反射層Ｓ３にて上記吸収範囲内の角度で反射された一部の光は、入射された第１層Ｓ５内を奥行方向とは反対方向に進行する。
【００３１】
また、上記吸収範囲内の＋２５°の入射角で光制御層Ｓ４に入射される光Ｌ１３，Ｌ１４のうち、第１層Ｓ５に直接入射される光Ｌ１３は、正面Ｓ４Ｆにて屈折された後、他の光Ｌ１１，Ｌ１２と同様に、当該第１層Ｓ５と当該第１層Ｓ５を挟む第２層Ｓ６との境界面Ｓ７での全反射を繰り返しつつ、当該第１層Ｓ５内を奥行方向に直進して、反射層３に到達する。そして、当該光Ｌ１３のうち、反射層Ｓ３にて上記吸収範囲内の角度で反射され、第１層Ｓ５内に入射された一部の光は、当該第１層Ｓ５内を上記奥行方向とは反対方向に進行する。
一方、第２層Ｓ６に直接入射された光Ｌ１４は、正面Ｓ４Ｆにて屈折された後、当該第２層Ｓ６を透過して、当該第２層Ｓ６に対して光Ｌ１４の進行方向に隣接する第１層Ｓ５に入射される。この第１層Ｓ５に入射された光Ｌ１４は、他の光Ｌ１１〜Ｌ１３と同様に、当該第１層Ｓ５内を上記奥行方向に進行する。そして、当該光Ｌ１４のうち、反射層Ｓ３にて上記吸収範囲内の角度で反射されて第１層Ｓ５に入射された一部の光は、当該第１層Ｓ５内を上記奥行方向とは反対方向に進行する。
吸収範囲内の入射角で光制御層Ｓ４に入射される他の光も光Ｌ１１〜Ｌ１４と同様に進行する。
【００３２】
このように、吸収範囲内の入射角で光制御層Ｓ４に入射される光のうち、第１層Ｓ５に入射される光は、当該第１層Ｓ５から外部に出射されることなく、光制御層Ｓ４の奥行方向に進行して反射層Ｓ３にて反射される。そして、当該反射層Ｓ３にて上記吸収範囲内の角度で反射されて第１層Ｓ５に入射される一部の光は、当該第１層Ｓ５内を奥行き方向とは反対方向に進行する。
ここで、第１層Ｓ５には、前述の光吸収色素が含まれている。このため、当該吸収範囲内の入射角で光制御層Ｓ４に入射される光は、光吸収色素により吸収されやすく、正面Ｓ４Ｆから出射される光量は低減される。すなわち、当該吸収範囲は、光制御層Ｓ４の正面Ｓ４Ｆに入射され、当該正面Ｓ４Ｆに対する入射角に応じて当該正面Ｓ４Ｆにて屈折されて光制御層Ｓ４内を進行する光のうち、高屈折率層である第１層Ｓ５から低屈折率層である第２層Ｓ６に向かって進行して当該第１層Ｓ５及び第２層Ｓ６の境界面Ｓ７に対して、当該境界面Ｓ７の臨界角以上の角度で入射される光（境界面Ｓ７にて第１層Ｓ５側に全反射される光）の上記入射角の範囲（正面Ｓ４Ｆに対する当該光の入射角の範囲）である。第１層Ｓ５及び第２層Ｓ６のそれぞれの屈折率を変更することにより当該吸収範囲を変更可能であるのは、それぞれの屈折率を変更することで、第１層Ｓ５側に光を反射させる境界面Ｓ７の臨界角が変更されるためである。
【００３３】
一方、上記吸収範囲外の入射角で光制御層Ｓ４に入射される光は、当該光の入射角に応じて正面Ｓ４Ｆにて屈折された後、第１層Ｓ５及び第２層Ｓ６を直進透過して上記奥行方向に進行し、反射層Ｓ３にて反射された後、奥行き方向とは反対方向に、第１層Ｓ５及び第２層Ｓ６を直進透過しつつ、正面Ｓ４Ｆから出射される。
例えば、図３に示すように、法線ＮＬに沿って光制御層Ｓ４に入射される光Ｌ２１は、第１層Ｓ５及び第２層Ｓ６を当該法線ＮＬに沿って直進透過して反射層Ｓ３に到達する。そして、当該光Ｌ２１のうち、当該反射層Ｓ３にて上記吸収範囲外の角度で反射された一部の光は、第１層Ｓ５及び第２層Ｓ６を直進透過しつつ、奥行き方向とは反対方向に進行して、正面Ｓ４Ｆから出射される。
【００３４】
また、上記吸収範囲外の−２５°の入射角で光制御層Ｓ４に入射される光Ｌ２２、及び、上記吸収範囲外の−７０°の入射角で光制御層Ｓ４に入射される光Ｌ２３は、正面Ｓ４Ｆにて屈折された後、光Ｌ２１と同様に、第１層Ｓ５及び第２層Ｓ６を直進透過して反射層Ｓ３に到達する。そして、当該光Ｌ２２，Ｌ２３のうち、反射層Ｓ３にて上記吸収範囲外の角度で反射された一部の光は、第１層Ｓ５及び第２層Ｓ６を直進透過しつつ、奥行き方向とは反対方向に進行して、正面Ｓ４Ｆから出射される。
なお、図３では、法線ＮＬに沿って光制御層Ｓ４に入射される光Ｌ２１は、第１層Ｓ５に直接入射されるように図示されているが、第２層Ｓ６に直接入射される場合も同様である。同様に、−２５°及び−７０°の入射角でそれぞれ光制御層Ｓ４に入射される光Ｌ２２，Ｌ２３は、第２層Ｓ６に直接入射されるように図示されているが、第１層Ｓ５に直接入射される場合も同様である。
【００３５】
このように、吸収範囲外の入射角で光制御層Ｓ４に入射された光は、当該光の入射角に応じて正面Ｓ４Ｆにて屈折された後、第１層Ｓ５及び第２層Ｓ６を直進透過するので、第１層Ｓ５を透過する際の光路長が、吸収範囲内の入射角で光制御層Ｓ４に入射される光に比べて短い。このため、当該吸収範囲外の入射角で入射される光では、光吸収色素により吸収されにくく、反射層Ｓ３にて反射された後に正面Ｓ４Ｆから出射される光の光量は低減されにくい。
【００３６】
従って、第１層Ｓ５及び第２層Ｓ６における正面Ｓ４Ｆ側の端部が背面Ｓ４Ｒ側の端部より上方に位置するように、スクリーンＳ１が鉛直方向に沿って配置され、かつ、照明光がスクリーンＳ１に対して上方から斜方入射する状態では、当該照明光のうち、吸収範囲内の入射角で光制御層Ｓ４に入射される光のスクリーンＳ１による反射光量を大きく低減できる。また、当該状態で、更に、プロジェクターＰＪが当該スクリーンＳ１に正対する位置又は正面側下方に設けられている場合では、当該プロジェクターＰＪからの投射光のうち、上記吸収範囲外の入射角で光制御層Ｓ４に入射される光の割合が高くなることから、スクリーンＳ１による反射光量の低減を抑制できる。従って、投射光以外の光（すなわち外光）の影響を低減できるので、スクリーンＳ１に表示される画像のコントラストを向上できる。
なお、上記説明では、光制御層Ｓ４の正面Ｓ４Ｆは空気層と接するものとして説明したが、光制御層Ｓ４Ｆと保護層Ｓ２との間で生じる屈折は僅かであるので、保護層Ｓ２を介する場合でも、スクリーン１の正面Ｓ１Ｆに入射されて光制御層Ｓ４内を進行する光の光路は、上記説明と同様である。
【００３７】
以上説明した本実施形態に係るスクリーンＳ１によれば、以下の効果がある。
吸収範囲内の入射角で光制御層Ｓ４に入射される光のうち、第１層Ｓ５に入射される光は、当該第１層Ｓ５内を上記奥行方向に進行する。このため、当該光では、第１層Ｓ５内を透過する際の光路が平均して比較的長い。
一方、吸収範囲外の入射角で光制御層Ｓ４に入射される光は、第１層Ｓ５及び第２層Ｓ６を貫通するように奥行方向に直進する。このため、当該光では、第１層Ｓ５内を透過する際の光路が平均して比較的短い。
そして、第１層Ｓ５には、光吸収色素が含まれていることにより、第１層Ｓ５を透過する際の光路が長ければ長いほど、当該第１層Ｓ５を透過する光の光量は減じられる。
【００３８】
このことから、上記吸収範囲内の入射角で光制御層Ｓ４に入射される光は、光制御層Ｓ４を透過する際に減じられやすい一方で、上記吸収範囲外の入射角で光制御層Ｓ４に入射される光は減じられにくい。
従って、当該光制御層Ｓ４を有する上記スクリーンＳ１によれば、光制御層Ｓ４に対する入射角に応じて、当該光制御層Ｓ４を透過する光の光量を調整でき、ひいては、正面Ｓ１Ｆから出射される光の光量を調整できる。
そして、第１層Ｓ５及び第２層Ｓ６は、法線ＮＬに対して＋２５．３°の傾斜角で傾斜している。このように、当該第１層Ｓ５及び第２層Ｓ６が、画像を形成する投射光とは異なる光（すなわち外光）の光制御層Ｓ４への入射方向に応じて形成されていることにより、光制御層Ｓ４への当該投射光とは異なる光の入射角を、上記吸収範囲に含めやすくすることができる。従って、外光を第１層Ｓ５の光吸収色素により吸収させやすくすることができるので、画像を劣化させる外光の影響を低減でき、スクリーンＳ１に表示される画像のコントラストを向上できる。
【００３９】
第１層Ｓ５に含有される光吸収色素は、可視光領域のうち所定波長の光を吸収する。これによれば、異方性光吸収フィルムにより形成され、当該光吸収色素が含有された光制御層Ｓ４をフィルターとして用いることができる。
なお、詳しくは後述するが、複数の色素を混合することで、赤、緑及び青に区分される色光以外の光の吸収効率が高い光吸収色素を生成できる。このような光吸収色素が第１層Ｓ５に含まれていれば、プロジェクターＰＪからの投射光とは異なる光を当該光吸収色素により効果的に吸収させることができる。従って、スクリーンＳ１に表示される画像のコントラストを向上できる。
【００４０】
スクリーンＳ１は、光制御層Ｓ４の背面Ｓ４Ｒ側に設けられ、当該光制御層Ｓ４を透過した光を反射させる反射層Ｓ３を有する。これによれば、第１層Ｓ５内を通過して反射層Ｓ３に到達した外光のうち、一部の光は、当該反射層Ｓ３により上記吸収範囲内の角度で反射されて、再度第１層Ｓ５内を上記奥行方向とは反対方向に進行することとなる。このため、当該一部の光は、光吸収色素により吸収されやすくなるので、スクリーンＳ１の外部に出射される外光の光量をより低減できる。従って、表示される画像のコントラストを更に向上できる。
【００４１】
スクリーンＳ１は、光制御層Ｓ４に対して光の入射側（画像の出射側）に位置し、透過される光を拡散させる拡散層Ｓ２２を有する。これによれば、上記吸収範囲外の入射角で入射され、光量が低減されにくい投射光を、拡散層Ｓ２２により外部に拡散させて出射できる。従って、コントラストが向上された画像の視野角を広げることができる。
【００４２】
スクリーンＳ１は、正面Ｓ１Ｆを構成し、かつ、入射される光の反射を抑制する反射抑制層Ｓ２１を有する。これによれば、当該反射抑制層Ｓ２１により、外光が観察者側に反射されることを抑制できる。また、当該反射抑制層Ｓ２１により、外光及び投射光を光制御層Ｓ４に入射させやすくすることができるので、当該光制御層Ｓ４により、外光を吸収させやすくすることができる。従って、表示画像のコントラストを更に向上できる。
【００４３】
なお、詳しくは後述するが、第１層Ｓ５及び第２層Ｓ６の上記傾斜角がそれぞれ異なる複数の光制御層Ｓ４を設ける構成とすることもできる。
ここで、吸収範囲は、第１層Ｓ５及び第２層Ｓ６が交互に配列される方向に沿う光制御層Ｓ４の断面視で、当該第１層Ｓ５及び第２層Ｓ６の境界面Ｓ７に沿う方向、換言すると、第１層Ｓ５及び第２層Ｓ６の傾斜角に応じて予め設定されるので、当該第１層Ｓ５及び第２層Ｓ６の傾斜角が複数の光制御層Ｓ４で異なれば、当該吸収範囲を拡大できる。従って、投射光とは異なる光の吸収効率を向上でき、表示画像のコントラストを更に向上できる。
【００４４】
［第１実施例］
以下、スクリーンＳ１の第１実施例について説明する。
図４は、第１実施例における対象スクリーンの設置状態を示す模式図である。なお、図４では、対象スクリーンとしてスクリーンＳ１が設置されている状態を示している。
第１実施例では、図４に示すように、照明Ｍ１〜Ｍ３と、プロジェクターＰＪとが配置された屋内において、鉛直面に沿う側壁ＷＬに設置されたスクリーンＳ１（実施例１）の反射光量と、当該側壁ＷＬに設置されたホワイトマットスクリーン（比較例１）の反射光量とを、照明Ｍ１〜Ｍ３から出射された照明光とプロジェクターＰＪからの投射光とに取得した。
【００４５】
以下に測定条件を説明する。
天井面ＣＳは、床面ＦＬから３１００ｍｍの高さにある。また、側壁ＷＬに設置されて測定対象となるスクリーン（以下、対象スクリーンという）は、当該スクリーンの中心が、床面ＦＬから１５００ｍｍの高さに位置するように、当該鉛直方向に沿って配置される。なお、対象スクリーンのアスペクト比は１６：９であり、サイズは１３インチである。
天井面ＣＳに設置される照明Ｍ１〜Ｍ３は、側壁ＷＬから１５００ｍｍごとに順に配置されている。これら照明Ｍ１〜Ｍ３は、対象スクリーンの中央を通る法線に直交する鉛直線上に位置している。
照明Ｍ１〜Ｍ３による照度は、対象スクリーンの中央において１００ルクスとなるように設定される。なお、使用されるプロジェクターＰＪは、出力１５ルーメンのＲＧＢレーザープロジェクターである。
【００４６】
このような配置の照明Ｍ１〜Ｍ３の中心位置から出射され、対象スクリーンの中心に入射される光の入射角は、それぞれ、＋４６．８°、＋２８°、＋１９．５°となる。このため、対象スクリーンとしてスクリーンＳ１が設置されている場合、照明Ｍ１，Ｍ２から出射された光は、上記吸収範囲内の入射角で光制御層Ｓ４に入射され、照明Ｍ３から出射された光は、上記吸収範囲外の入射角で光制御層Ｓ４に入射される。
一方、プロジェクターＰＪは、上記吸収範囲外の入射角で、投射光の中心軸ＰＬが光制御層Ｓ４に入射されるように配置される。具体的に、第１実施例では、プロジェクターＰＪは、投射光の中心軸ＰＬが法線ＮＬと−１６．５°で交差する位置に配置される。
【００４７】
第１実施例では、実施例１としてのスクリーンＳ１の反射層Ｓ３は、入射光をランバート反射により反射させる構成である。また、上記第１層Ｓ５に含有される光吸収色素は、可視光を均一に吸収するカーボンブラックが採用されており、当該光吸収色素の濃度は、法線ＮＬに沿って入射された光（前述の光Ｌ２１）の透過率が、当該光吸収色素が設けられていない場合の透過率を１００％とした場合の９０％となるように設定されている。なお、対象スクリーンとして用いられるスクリーンＳ１における第１層Ｓ５及び第２層Ｓ６の法線ＮＬに対する傾斜角は、上記のように＋２５．３°であり、吸収範囲は＋２５°以上、＋５５°以下の範囲に設定されている。
一方、比較例１として使用されるホワイトマットスクリーンには、光制御層が設けられておらず、光吸収色素も含まれていない。
上記条件での測定結果を以下の表１に示す。
【００４８】
【表１】
2014174233.tif 000003
【００４９】
上記表１に示すように、実施例１のスクリーンＳ１と比較例１のホワイトマットスクリーンとを比較すると、照明Ｍ１〜Ｍ３からの照明光の反射輝度（ｃｄ／ｍ２）は、比較例１では「２１．５」であったのに対し、実施例１では「１１．８」である。
また、プロジェクターＰＪからの投射光の反射輝度（ｃｄ／ｍ２）は、比較例１では「２５．７」であったのに対し、実施例１では「２０．６」であった。
これは、照明Ｍ１，Ｍ２からの照明光の入射角が上記吸収範囲内であり、当該照明光が上記第１層Ｓ５内を上記奥行方向に進行すること、及び、当該照明光の一部が、反射層Ｓ３にて上記吸収範囲内の角度で反射されて、上記第１層Ｓ５内を上記奥行方向とは反対方向に進行することから、当該照明光における第１層Ｓ５を透過する際の光路長が、投射光における第１層Ｓ５を透過する際の光路長に対して平均して約２．４倍となって照明光が大きく減じられるとともに、投射光も少なからず減じられるためと考えられる。
【００５０】
そして、投射光の反射輝度及び投射光の反射輝度をコントラストに換算すると、比較例１では「２．２」となるのに対し、実施例１では「２．７」となった。
このように、実施例１のスクリーンＳ１では、比較例１のホワイトマットスクリーンに対して、コントラストの向上を図ることができている。
【００５１】
［第２実施例］
次に、第２実施例について説明する。
第２実施例では、プロジェクターＰＪからの投射光の波長以外の波長の光を主に吸収する光吸収色素を上記第１層Ｓ５に含めたスクリーンＳ１と、当該光吸収色素を表面に塗布したホワイトマットスクリーンとを対象スクリーンとして上記側壁ＷＬに設置し、それぞれの照明光の反射輝度と投射光の反射輝度とを取得した。
【００５２】
まず、実施例２としてのスクリーンＳ１の第１層Ｓ５には、下記表２に示す色素１及び色素２を以下の濃度で混合させた光吸収色素を含有させた。この濃度は、第１実施例と同様に、法線ＮＬに沿って光制御層Ｓ４に入射される投射光の透過率が９０％となる濃度である。
また、比較例２としてのホワイトマットスクリーンの表面（光入射面）には、膜厚が４．５Ｅ−４ｃｍとなるように上記光吸収色素を塗布した。なお、当該光吸収色素の濃度は、実施例２のスクリーンＳ１における光吸収色素の濃度と同じである。
【００５３】
【表２】
2014174233.tif 000004
【００５４】
図５は、光吸収色素の光吸収特性と、プロジェクターＰＪに用いられる光源の出力波長特性と、照明Ｍ１〜Ｍ３の出力波長特性とを示すグラフである。
プロジェクターＰＪは、前述のように、ＲＧＢレーザープロジェクターであり、当該プロジェクターＰＪに採用されている光源の出射光（投射光）は、図５に点線で示すように、４４８ｎｍ近傍、５２０ｎｍ近傍、及び、６３９ｎｍ近傍にピークを有する。
一方、照明Ｍ１〜Ｍ３からの照明光は、図５に実線で示すように、４０５ｎｍ近傍、４３６ｎｍ近傍、４８７ｎｍ近傍、５４６ｎｍ近傍、５８４ｎｍ近傍及び６１１ｎｍ近傍にピークを有する。
他方、上記光吸収色素は、図５に一点鎖線で示すように、４８９ｎｍ近傍、５４３ｎｍ近傍及び５９４ｎｍ近傍の波長の光を主に吸収する。すなわち、当該光吸収色素は、赤、緑及び青に区分される色光以外の色光を主に吸収する。
【００５５】
上記条件での測定結果を、以下の表３に示す。
なお、測定に際しては、投射光の反射輝度が同じ値となるように、当該投射光の強度（プロジェクターＰＪの光源の出力）を調整している。
【００５６】
【表３】
2014174233.tif 000005
【００５７】
上記表３に示すように、実施例２のスクリーンＳ１と比較例２のホワイトマットスクリーンとを比較すると、照明光の反射輝度（ｃｄ／ｍ２）は、比較例２では「７．７」であったのに対し、実施例２では「３．７」であった。また、投射光の反射輝度（ｃｄ／ｍ２）は、比較例２及び実施例２で同じ「２０．６」であった。
これは、前述の第１実施例と同様に、照明Ｍ１，Ｍ２から出射された光の入射角が上記吸収範囲内にあると考えられる。そして、照明の反射輝度及び投射光の反射輝度をコントラストに換算すると、比較例２では「３．７」となるのに対し、実施例２では「６．６」となった。
【００５８】
このように、実施例２のスクリーンＳ１では、比較例２のホワイトマットスクリーンに対して約１．８倍のコントラストを得ることができ、比較例１のホワイトマットスクリーンに対しては約３倍のコントラストを得ることができた。従って、実施例２のスクリーンＳ１では、比較例１及び２のホワイトマットスクリーンに対して、コントラストの向上を図ることができている。
【００５９】
図６は、光の入射角と反射分光特性とを示すグラフである。
ここで、スクリーンＳ１に対して、上記吸収範囲外の入射角で入射された光の反射分光特性を調べた。具体的に、光制御層Ｓ４に対して−５°の入射角で入射される光の反射特性と、−４５°の入射角で入射される光の反射特性とを比較した。
結果として、図６に示すように、−５°の入射角で入射される光の反射特性と、−４５°の入射角で入射される光の反射特性とは、可視光領域でほぼ同じであった。このように、上記吸収範囲外の入射角で入射される光の反射特性は、可視光領域では入射角によらずにほぼ同じ結果が得られた。
【００６０】
一方、図示を省略するが、ポリマー多層膜により形成され、赤、緑及び青の色光を反射させる狭帯域波長反射フィルム（所定の狭帯域内の波長の光のみ反射させるフィルム）をホワイトマットスクリーンに貼付した例では、光の入射角によって、高い反射効率を有する波長（ピーク波長）がシフトした。具体的に、当該ホワイトマットスクリーンの表面の法線に対して−５°の入射角で光が入射される場合、反射光には、４６０ｎｍ近傍、５６０ｎｍ近傍、及び、６４０ｎｍ近傍にピークが見られた。一方、−４５°の入射角で光が入射される場合、反射光には、４３０ｎｍ近傍、５２０ｎｍ近傍、及び、５８０ｎｍ近傍にピークが見られた。
【００６１】
このような狭帯域波長反射フィルムが貼付されたホワイトマットスクリーンに画像を投射した場合、当該ホワイトマットスクリーンへの光の入射角によって反射光の波長が変わるため、適切な色の画像が表示されず、画質が劣化する可能性が生じる。
これに対し、上記スクリーンＳ１においては、吸収範囲外の入射角で光が入射される場合、入射角に応じた分光特性の変化がほぼ無いことから、表示画像の画質劣化を抑制できる。
【００６２】
［実施形態の変形］
本発明を実施するための最良の構成などは、以上の記載で開示されているが、本発明はこれに限定されるものではない。すなわち、上記に開示した形状、材質などを限定した記載は、本発明の理解を容易にするために例示的に記載したものであり、本発明を限定するものではないから、それらの形状、材質などの限定の一部若しくは全部の限定を外した部材の名称での記載は、本発明に含まれるものである。
【００６３】
図７は、スクリーンＳ１の変形であるスクリーンＳ１Ａの構成を示す模式図である。換言すると、図７は、スクリーンＳ１Ａの構成を模式的に示す断面図である。
前記実施形態では、スクリーンＳ１は、１つの光制御層Ｓ４を有するとしたが、本発明はこれに限らず、複数の光制御層を積層してもよい。
例えば、スクリーンＳ１Ａは、図７に示すように、保護層Ｓ２及び反射層Ｓ３と、当該保護層Ｓ２及び反射層Ｓ３との間に配置される光制御層Ｓ４Ａ，Ｓ４Ｂを有する。
【００６４】
これら光制御層Ｓ４Ａ，Ｓ４Ｂは、前述の光制御層Ｓ４と同様に、異方性光吸収フィルムにより構成されており、当該各光制御層Ｓ４Ａ，Ｓ４Ｂは、それぞれの法線ＮＬＡ，ＮＬＢに対する直交方向に沿って交互に配列された第１層Ｓ５及び第２層Ｓ６を有する。なお、光制御層Ｓ４Ａにおける第１層Ｓ５及び第２層Ｓ６の配列方向と、光制御層Ｓ４Ｂにおける第１層Ｓ５及び第２層Ｓ６の配列方向とは、同じである。
【００６５】
これら光制御層Ｓ４Ａ，Ｓ４Ｂでは、それぞれの法線ＮＬＡ，ＮＬＢに対する第１層Ｓ５及び第２層Ｓ６の傾斜角が異なっている。
具体的に、光制御層Ｓ４Ａでは、当該光制御層Ｓ４Ａの法線ＮＬＡに対する第１層Ｓ５及び第２層Ｓ６の傾斜角（第１層Ｓ５及び第２層Ｓ６の配列方向に沿う光制御層Ｓ４Ａの断面視において法線ＮＬＡと境界面Ｓ７に沿う方向を示す仮想の直線ＶＬＡとの交差角）は＋２８．１°である。また、当該光制御層Ｓ４Ａにおける上記吸収範囲は、＋３０°以上、＋６０°以下であり、当該吸収範囲の中心線である仮想の直線ＶＬＢと法線ＮＬＡとの交差角は、＋４５°である。
一方、光制御層Ｓ４Ａでは、当該光制御層Ｓ４Ｂの法線ＮＬＢに対する第１層Ｓ５及び第２層Ｓ６の傾斜角（第１層Ｓ５及び第２層Ｓ６の配列方向に沿う光制御層Ｓ４Ｂの断面視において法線ＮＬＢと境界面Ｓ７に沿う方向を示す仮想の直線ＶＬＣとの交差角）は＋１９．４°である。また、当該光制御層Ｓ４Ｂにおける上記吸収範囲は、＋１５°以上、＋４５°以下であり、当該吸収範囲の中心線である仮想の直線ＶＬＤと法線ＮＬＢとの交差角は、＋４５°である。
【００６６】
このようなスクリーンＳ１Ａでは、光制御層Ｓ４Ａの吸収範囲と、光制御層Ｓ４Ｂの吸収範囲とは合算されるので、当該スクリーンＳ１Ａにおける吸収範囲は、＋１５°以上、＋６０°以下となる。このため、第１層Ｓ５及び第２層Ｓ６の傾斜角が異なる複数の光制御層Ｓ４Ａ，Ｓ４Ｂを設けることで、スクリーンＳ１Ａの吸収範囲を拡大できる。また、前述のように、各光制御層Ｓ４Ａ，Ｓ４Ｂにおける第１層Ｓ５及び第２層Ｓ６の屈折率を調整することでも、スクリーンＳ１Ａの吸収範囲を調整できる。
【００６７】
なお、上記スクリーンＳ１Ａでは、上記傾斜角が＋２８．１°である光制御層Ｓ４Ａを、上記傾斜角が＋１９．４°である光制御層Ｓ４Ｂの光入射側に配置したが、これら各光制御層Ｓ４Ａ，Ｓ４Ｂの配置位置は逆でもよい。この場合でも、得られる効果は同じである。
また、当該スクリーンＳ１Ａでは、上記傾斜角が＋２８．１°である光制御層Ｓ４Ａと、上記傾斜角が＋１９．４°である光制御層Ｓ４Ｂとを含む構成とした。しかしながら、これに限らず、各光制御層を構成する第１層Ｓ５及び第２層Ｓ６の傾斜角は、適宜変更可能である。例えば、法線に対する直交方向に沿って交互に配列される第１層Ｓ５及び第２層Ｓ６の傾斜角が０°（すなわち、法線に沿う状態）である光制御層を採用してもよい。これは１つの光制御層のみ有する場合も同様である。
【００６８】
前記実施形態では、スクリーンＳ１は、第１層Ｓ５及び第２層Ｓ６が鉛直方向に沿って交互に配列された光制御層Ｓ４を有する構成とし、また、上記スクリーンＳ１Ａでは、第１層Ｓ５及び第２層Ｓ６が鉛直方向に沿って交互に配列された光制御層Ｓ４Ａ，Ｓ４Ｂを有する構成とした。しかしながら、本発明はこれらに限らない。すなわち、第１層Ｓ５及び第２層Ｓ６の配列方向は、他の方向でもよい。例えば、当該配列方向が、光制御層の法線に直交する水平方向に沿う方向である光制御層を備えるスクリーンとしてもよい。更に、スクリーンが複数の光制御層を有する場合には、１つの光制御層における第１層Ｓ５及び第２層Ｓ６の配列方向と、他の光制御層における第１層Ｓ５及び第２層Ｓ６の配列方向とが異なっていてもよい。
【００６９】
例えば、スクリーンが、保護層Ｓ２と、３つの光制御層Ｓ４と、反射層Ｓ３とを有する場合、各光制御層Ｓ４における上記配列方向を以下のように異ならせてもよい。
すなわち、１つの光制御層Ｓ４は、鉛直方向に沿って交互に配列され、かつ、当該光制御層Ｓ４の法線に対して「＋」の傾斜角で傾斜した第１層Ｓ５及び第２層Ｓ６を有し、他の１つの光制御層Ｓ４は、水平方向に沿って交互に配列され、かつ、当該光制御層Ｓ４の法線に対して「＋」の傾斜角で傾斜した第１層Ｓ５及び第２層Ｓ６を有し、残りの１つの光制御層Ｓ４が、水平方向に沿って交互に配列され、かつ、当該光制御層Ｓ４の法線に対して「−」の傾斜角で傾斜した第１層Ｓ５及び第２層Ｓ６を有する構成としてもよい。
このような場合、当該スクリーンに対して上方、左方及び右方からそれぞれ斜方入射される外光を、各光制御層Ｓ４の第１層Ｓ５に含まれる光吸収色素により効果的に吸収できる。従って、各光制御層Ｓ４の法線に沿って、或いは、鉛直方向における「−」の入射角で入射される投射光を好適に反射させることができ、表示画像のコントラストの更なる向上を図ることができる。
【００７０】
前記実施形態では、第１層Ｓ５及び第２層Ｓ６は、それぞれ平行に形成され、光制御層Ｓ４の法線に対する第１層Ｓ５及び第２層Ｓ６の傾斜角は、当該スクリーンＳ１の全面でほぼ同じであるとした。しかしながら、本発明はこれに限らない。すなわち、スクリーンＳ１において、部分的に傾斜角が異なるように、第１層Ｓ５及び第２層Ｓ６を形成してもよい。
【００７１】
例えば、スクリーンＳ１の中央での上記傾斜角と、第１層Ｓ５及び第２層Ｓ６の配列方向（例えば鉛直方向）における一端側及び他端側での上記傾斜角とが異なっていてもよい。また、一端側での上記傾斜角と、他端側での上記傾斜角とが一致していなくてもよい。
具体的に、第１層Ｓ５及び第２層Ｓ６が鉛直方向に沿って交互に配列されている場合、上方から下方に向かうに従って上記傾斜角が大きくなるように、当該第１層Ｓ５及び第２層Ｓ６が形成されていてもよい。このような構成のスクリーンであれば、スクリーンにおける上側の位置では、当該スクリーンの法線と上記吸収範囲の中心線との交差角が小さくなり、下側の位置では、当該スクリーンの法線と上記吸収範囲の中心線との交差角が大きくなるので、それぞれの吸収範囲の向きをスクリーンの上方に位置する照明（例えば照明Ｍ１，Ｍ２）に向けやすくすることができる。従って、当該照明から入射される外光を、当該スクリーンＳ１の全面において効果的に吸収できる。
【００７２】
前記実施形態では、第１層Ｓ５及び第２層Ｓ６は等間隔に形成され、当該第１層Ｓ５の厚さ寸法と、第２層Ｓ６の厚さ寸法とは同じであるとしたが、本発明はこれに限らない。すなわち、第１層Ｓ５及び第２層Ｓ６が異なる厚さ寸法を有していてもよい。
前記実施形態では、光制御層Ｓ４は、第１層Ｓ５及び第２層Ｓ６を有する構成としたが、本発明はこれに限らず、これら第１層Ｓ５及び第２層Ｓ６とは異なる屈折率を有する第３層が設けられていてもよい。
【００７３】
前記実施形態では、スクリーンＳ１は、反射層Ｓ３を有する反射型スクリーンとして構成したが、本発明はこれに限らず、透過型スクリーンとして構成することも可能である。この場合、反射層Ｓ３に代えて反射抑制層Ｓ２１を形成し、拡散層Ｓ２２をスクリーンの正面側（光出射側）に露出させればよい。このような透過型スクリーンによれば、当該スクリーンの背面側から上記吸収範囲外の入射角で入射される投射光は、当該スクリーンを透過して正面側に出射されるとともに、正面側から上記吸収範囲内の入射角で入射された外光は、第１層Ｓ５の光吸収色素により吸収されるとともに、背面側に向って透過するので、スクリーンＳ１の正面からの外光の出射光量を減じることができる。従って、表示画像のコントラストを向上できる。
【００７４】
前記実施形態では、本発明の異方性光吸収フィルムを用いた例として、当該異方性光吸収フィルムにより構成された光制御層Ｓ４を有するスクリーンＳ１、及び、当該スクリーンＳ１の変形であるスクリーンＳ１Ａを挙げたが、本発明はこれに限らない。すなわち、当該異方性光吸収フィルムの用途は、スクリーンに限定されない。例えば、窓ガラスに貼付されるフィルムとして利用してもよい。
また、当該異方性光吸収フィルムの用途によっては、上記光吸収色素に代えて他の色素を第１層Ｓ５に含有させてもよい。例えば、可視光領域の他の波長の光を吸収する色素を含有させた異方性光吸収フィルムを構成してもよく、紫外線或いは赤外線を吸収する色素を含有させた異方性光吸収フィルムを構成してもよい。
【産業上の利用可能性】
【００７５】
本発明は、異方性光吸収フィルムに採用でき、例えば、画像が投射されるスクリーンに好適に利用できる。
【符号の説明】
【００７６】
Ｓ１，Ｓ１Ａ…スクリーン、Ｓ２…保護層、Ｓ３…反射層、Ｓ４，Ｓ４Ａ，Ｓ４Ｂ…光制御層（異方性光吸収フィルム）、Ｓ５…第１層、Ｓ６…第２層、Ｓ７…境界面、Ｓ２１…反射抑制層、Ｓ２２…拡散層。
【図１】
2014174233.tif 000006
【図２】
2014174233.tif 000007
【図３】
2014174233.tif 000008
【図４】
2014174233.tif 000009
【図５】
2014174233.tif 000010
【図６】
2014174233.tif 000011
【図７】
2014174233.tif 000012